(57)【要約】      （修正有）【課題】コードが勝手に繰出されることを阻止し、且つ、コードを巻込むときに付着しているゴミや埃を除去するコードリールを提供する。【解決手段】本コードリール１０は、巻胴と巻胴の両端にそれぞれ設けられた巻胴の径よりも大径の一対の突縁部１１，１４を有し、一対の突縁部１１，１４の間隙を周回して巻胴にコード５１が巻込まれあるいは巻胴からコードが繰出されるコードリール１０において、一対の突縁部１１，１４の対向面において、少なくとも一方の外縁側には所定高さの弾性体１２が設けられ、この弾性体１２によってコード５１の出入口が形成されている。【選択図】図５
0003172556.tif 000002
【実用新案登録請求の範囲】
【請求項１】
巻胴と前記巻胴の両端にそれぞれ設けられた前記巻胴の径よりも大径の一対の突縁部を有し、前記一対の突縁部の間隙を周回して前記巻胴にコードが巻込まれあるいは前記巻胴からコードが繰出されるコードリールにおいて、
前記一対の突縁部の対向面において、少なくとも一方の外縁側には所定高さの弾性体が設けられ、この弾性体によって前記コードの出入口が形成されていることを特徴とするコードリール。
【請求項２】
前記出入口の幅は前記コードの断面の最小幅よりも小さいことを特徴とする請求項１に記載のコードリール。
【請求項３】
前記一対の突縁部の対向面において、一方の突縁部の外縁に他方の突縁部側に延在する第１側壁が立設され、前記弾性体の先端は前記第１側壁の前記巻胴側に前記第１側壁よりも高い高さに設けられており、
前記弾性体の先端と前記他の突縁部側との間で前記出入口が形成されていることを特徴とする請求項２に記載のコードリール。
【請求項４】
前記弾性体には、前記出入口の幅が前記コードの断面の最小幅よりも大きくなる切欠きが少なくとも１箇所形成されていることを特徴とする請求項２又は３に記載のコードリール。
【請求項５】
前記一対の突縁部の対向面において、一方の外縁側に他方側に延在する第２側壁が立設され、前記弾性体は他方の外縁側に所定高さに設けられており、前記第２側壁の端部と前記弾性体の端部との間で前記入口が形成されていることを特徴とする請求項２又は３に記載のコードリール。
【請求項６】
前記弾性体の端部と前記第２側壁との間には、前記巻胴の軸と垂直方向に隙間が形成されていることを特徴とする請求項５に記載のコードリール。
【請求項７】
前記巻胴は、前記一対の突縁部の一方から他方の突縁部に向かって太くなっていることを特徴とする請求項１に記載のコードリール。
【請求項８】
前記一対の突縁部の対向面において、一方の外縁側に他方側に延在する第２側壁が立設され、前記弾性体は他方の外縁側に所定高さに設けられて前記コードが繰出されるときに変形して前記第２側壁と接触し、前記第２側壁と前記弾性体との間で前記出入口が形成されていることを特徴とする請求項２又は３に記載のコードリール。
【請求項９】
前記一対の突縁部の一方の突縁部と前記巻胴とが一体で形成され、前記巻胴の軸と同一軸を螺入するねじによって他方の突縁部が前記巻胴に螺着され、前記他方の突縁部と前記巻胴が相対的に回転することを阻止する係合部を前記他方の突縁部と前記巻胴に設けたことを特徴とする請求項１に記載のコードリール。
【考案の詳細な説明】
【技術分野】
【０００１】
本考案はコードリールに関し、特に弾性体によってコードの出入口が形成されているコードリールに関するものである。
【背景技術】
【０００２】
電気・電子機器のコードが収納されるときや使用時の余長処理のときは、一般的に結束される。これらのコードの結束具として、細い金属線をビニル樹脂で被覆した線材（例えば（株）共和製の商品名「ビニタイ（登録商標）」、ユニオンプラスチック（株）製の商品名「クイックタイ」等）が使用されている。図１３は携帯電話機に充電として使用されるＡＣアダプタ式充電器５０のコード５１がビニタイ（登録商標）５５で結束された状態を示す斜視図である。コード５１の一端にはＡＣ−ＤＣ変換を行うＡＣ−ＤＣ変換部５２が設けられ、ＡＣ−ＤＣ変換部５２には商用電源に接続されるプラグ５３が取り付けられている。コード５１の他端には接続端子５４が設けられ、接続端子５４は携帯電話機（図示せず）や携帯電話機の充電台（図示せず）に接続される。図１３のようにコードが結束されると、コードの輪が露出した状態となる。
【０００３】
しかしながら、この結束という方法は、収納時にはコードの輪に他の収納物が絡まり易すいという問題や、コードの使用時や載置時には結束部分が外見的に美しくないという問題がある。たとえば、バッグ内に携帯電話機のＡＣアダプタ式充電器とイヤホンなどを入れておいた場合、結束されたコードの輪にイヤホンの端子やスピーカなどが絡まることがある。また、使用中のイヤホンコードの垂れ下がった結束やテーブルに置かれた種々の結束されたコードは見苦しいものである。
【０００４】
このために、下記特許文献１（特開２００５−１５６９６１公報）や下記特許文献２（特開２００７−２６９４１０公報）に開示されているように、両端に一対の突縁部を有した巻胴に周回してコードが巻込まれるコードリールが考えられ、市販されている。また、下記特許文献３（特開２０１０−０７３６０１公報）に開示されているように、巻胴に周回してコードが巻込まれるコードリール付きの製品も考えられた。これらはコードが巻胴に周回して巻込まれるので、結束の輪ができず、コードが一緒に収納される物と絡み難い。また、突縁部でコードが見え難いので、テーブルに置かれても外見的に見苦しくない。加えて、突縁部に装飾が施されていれば、外見的に美しくもなる。たとえば、使用中のイヤホンの装飾されたコードリール自体が身にまとったアクセサリーにもなる。
【先行技術文献】
【特許文献】
【０００５】
【特許文献１】特開２００５−１５６９６１公報
【特許文献２】特開２００７−２６９４１０公報
【特許文献３】特開２０１０−０７３６０１公報
【考案の概要】
【考案が解決しようとする課題】
【０００６】
しかしながら、上記特許文献１や上記特許文献２に開示されているコードリールは、コードが周回しながら繰出されるときの抵抗部材が無いために、コードが勝手に繰出され易いという問題がある。特に、イヤホンのように垂れ下げられたコードリールや、マウスのように動かされるコードリールや、ヘアードライヤーのように大きな電流に対応した硬いコードが巻込まれるコードリールでは、コードが勝手に繰出され易い。また、コードが巻込まれる入口はコードの断面の幅よりも広いために、コードにゴミや埃が付着していたときに、ゴミや埃も一緒に巻込まれるという問題もある。
【０００７】
ところで、コードが周回しながら繰出されるときの抵抗は、コードが勝手に繰出されることを阻止できる程度の力が必要である。イヤホンのように使用中に垂れ下げられることや、運搬のときに垂れ下げられることが考えられ、このようなときの阻止力は大きくなる。しかしながら、コードが勝手に繰出されるときと同じ阻止力がコードを巻込むときにも加えられれば、コードを巻込み難くなるという問題がある。
【０００８】
ところで、上記特許文献２には、巻胴と両突縁部が一体のゴムで形成された市販のコードリールについての記載がある。この両突縁部は向かい合って重なったお皿のような形状を成しており、外縁部が接触している。この全ゴム製のコードリールはその外縁部が接触している状態でコードを巻込むことはできず、少なくとも一方の突縁部の外縁部の突出方向を反転させるように変形させて、突縁部の入口を開いた後にコードを巻込み、巻込みが終了すると、突縁部の外縁部の突出方向を元に戻すという仕様の構成である。この全ゴム製のコードリールは、接触している外縁部で形成される出口の変形によって、コードが勝手に繰出されることを阻止することができる。
【０００９】
しかしながら、この全ゴム製のコードリールは出口がそのまま入口になるものではない。コードを巻込む状態にするには、狭い出口を一端広い入口に変更し、巻込みが終われば、広い入口を狭い出口に戻すという二つの手数が増加する。したがって、上記特許文献２に記載されている全ゴム製のコードリールは、出口と入口が同じである出入口を有した上記特許文献１又は特許文献３に記載されているコードリールとは異なる種類のコードリールである。しかも、この全ゴム製のコードリールはコードを巻込むときに入口を広げるので、コードにゴミや埃が付着していたときに、ゴミや埃も一緒に巻込まれ、コードが繰出されるときには、巻込まれたゴミや埃が弾力性のある狭い出口によってコードリール内部に落ちて溜まるという問題もある。
【００１０】
本考案は、従来技術の上記のような問題点に鑑みてなされたものであって、本考案の目的は、手数が増加することなく、コードが勝手に繰出されることを阻止し、且つ、コードを巻込むときに付着しているゴミや埃を除去することができ、しかも巻込み力が繰出し力よりも小さくなるようにしたコードリールを提供することにある。
【課題を解決するための手段】
【００１１】
上記目的を達成するため、本考案のコードリールは、巻胴と前記巻胴の両端にそれぞれ設けられた前記巻き胴の径よりも大径の一対の突縁部を有し、前記一対の突縁部の間隙を周回して前記巻胴にコードが巻込まれあるいは前記巻胴からコードが繰出されるコードリールにおいて、前記一対の突縁部の対向面において、少なくとも一方の外縁側には所定高さの弾性体が設けられ、この弾性体によって前記コードの出入口が形成されていることを特徴とする。
【００１２】
本考案のコードリールによれば、コードが巻込まれるときあるいはコードが繰出されるときにコードによって弾性体の端部が押圧されて変形されるので、コードが繰出されるときには変形する弾性体の抗力により、コードが勝手に繰出されることを防止することができる。さらに、コードが巻込まれるときにコードに付着したごみや埃を柔らかい弾性体により落とすことができる。さらに、コードの巻込み後、コードの出入口からごみや埃が入るのを低減することができる。なお、弾性体を含んで形成される出入口は、間隙を閉ざしたものや、間欠的な隙間のものや、間隙がコードの断面の最小幅よりも小さいものや、隙間がコードの断面の最小幅よりも大きいものも含む。隙間がコードの断面の最小幅よりも大きいもののとき、弾性体が上方に向かって延在していれば、コードを弾性体の上から小さな力で巻込むことができ、コードを繰出すときはコードが重力により弾性体と当接するので、大きな繰出し力となる。
【００１３】
なお、本願は両突縁部共に弾性体が形成されているものも含む。この場合は、コードの出入口の両端が開くので、巻胴のいずれの端でもコードを寄せて巻込み易く、また、コードの出入口の両端が開くので、両方にコードが傾いてもよく、巻込み易く、繰出し易い。なお、本願はコードがコードリールの側面から1本しか出ていないもの、たとえば、もう１本は巻胴を経てコードリールの中央から出ているものや、特許文献３のように、もう1本は電気・電子部品の内部の回路に接続されているものにも適用することができる。
【００１４】
また、本考案のコードリールにおいては、前記出入口の幅は前記コードの断面の最小幅よりも小さいことが好ましい。
【００１５】
本考案のコードリールによれば、コードが通うとする間隙がコードの断面の最小幅よりも狭いので、弾性体が確実に変形する。これにより、コードが勝手に繰出されることを確実に防止することができる。さらに、コードが巻込まれるときにコードに付着したごみや埃を柔らかい弾性体でより多く落とすことができる。さらに、コードの巻込み後、コードの出入口からごみや埃が入るのをさらに低減することができる。
【００１６】
また、本考案のコードリールにおいては、前記一対の突縁部の対向面において、一方の突縁部の外縁に他方の突縁部側に延在する第１側壁が立設され、前記弾性体の先端は前記第１側壁の前記巻胴側に前記第１側壁よりも高い高さに設けられており、前記弾性体の先端と前記他の突縁部側との間で前記出入口が形成されてことが好ましい。
【００１７】
本考案のコードリールによれば、コードが巻込まれるときに弾性体の端部は第１側壁の端部と離間して変形し、また、コードが繰出されるときに弾性体の端部は第１側壁の端部と当接して変形するので、コードが繰出されるときの弾性体の変形の力点から支点までの距離はコードが巻込まれるときの距離よりも短くなる。したがって、コードを軽い力で巻込み、その力よりも大きい力でコードが繰出されるのを防止することができる。
【００１８】
また、本考案のコードリールにおいては、前記弾性体には、前記出入口の幅が前記コードの断面の最小幅よりも大きくなる切欠きが少なくとも１箇所形成されていることが好ましい。
【００１９】
本考案のコードリールによれば、弾性体の負荷がかからないコードの静止位置を得ることができる。また、コードを繰出すときは切欠きでより強い阻止力となる。この切欠きを複数設ければ、コードの両端の静止位置の選択肢が増加する。
【００２０】
また、本考案のコードリールにおいては、前記一対の突縁部の対向面において、一方の外縁側に他方側に延在する第２側壁が立設され、前記弾性体は他方の外縁側に所定高さに設けられており、前記第２側壁の端部と前記弾性体の端部との間で前記入口が形成されていることが好ましい。
【００２１】
本考案のコードリールによれば、コードが繰出されるとき、弾性体の一部が第２側壁を超えて変形されるために、コードが繰出されるときの弾性体の変形量はコードが巻込まれるときの変形量よりも大きくなる。したがって、コードを軽い力で巻込み、その力よりも大きい力でコードが繰出されるのを防止することができる。
【００２２】
また、本考案のコードリールにおいては、前記弾性体の端部と前記第２側壁との間には、前記巻胴の軸と垂直方向に隙間が形成されていることが好ましい。
【００２３】
本考案のコードリールによれば、コードが繰出されるときの第２側壁による抗力を大きくすることができる。また、巻胴の軸方向の隙間を小さくすることができるので、ゴミや埃が入りにくくなる。
【００２４】
また、本考案のコードリールにおいては、前記巻胴は、前記一対の突縁部の一方から他方の突縁部に向かって太くなっていることが好ましい。
【００２５】
本考案のコードリールによれば、コードを巻込むとき、この傾斜によりコードは出入口から奥側に向かい易くなる。
【００２６】
また、本考案のコードリールにおいては、前記一対の突縁部の対向面において、一方の外縁側に他方側に延在する第２側壁が立設され、前記弾性体は他方の外縁側に所定高さに設けられて前記コードが繰出されるときに変形して前記第２側壁と接触し、前記第２側壁と前記弾性体との間で前記出入口が形成されていることが好ましい。
【００２７】
本考案のコードリールによれば、弾性体が第２側壁を超えて変形することになる。このために、コードが繰出されるときの弾性体の変形量はコードが巻込まれるときの変形量よりも大きくなる。したがって、コードを軽い力で巻込むことができ、その力よりも大きい力でコードが繰出されるのを防止することができる。
【００２８】
また、本考案のコードリールにおいては、前記一対の突縁部の一方の突縁部と前記巻胴とが一体で形成され、前記巻胴の軸と同一軸を螺入するねじによって他方の突縁部が前記巻胴に螺着され、前記他方の突縁部と前記巻胴が相対的に回転することを阻止する係合部を前記他方の突縁部と前記巻胴に設けることが好ましい。
【００２９】
本考案のコードリールによれば、コードが弾性体を変形させるので、コードが巻込まれるときや繰出されるときに突縁部に大きなモーメントが係る。このために、突縁部と巻胴が相対的に回転してねじが緩むおそれがある。コードの収容領域を狭くすることなく、本考案はこれを防止することができる。
【図面の簡単な説明】
【００３０】
【図１】図１Ａは本考案の外観をコード巻込み開始口側から見た斜視図であり、本考案の外観を図１Ｂはコード巻込み終了口側から見た斜視図であり、図1Ｃは本考案の使用例を示す斜視図である。
【図２】本考案の分解斜視図である。
【図３】図３Ａは上キャビネットのボスの凸部を示す斜視図であり、図３Ｂはリングの爪を示す斜視図である。
【図４】図４Ａは本考案の平面図であり、図４Ｂは底面図である。
【図５】図５Ａは本考案の正面図であり、図５Ｂは背面図であり、図５Ｃは図４ＡのＶＣ−ＶＣ線を示す断面図である。
【図６】図６Ａは固定具による弾性体の装着状態を示す斜視図である、図６Ｂは図６Ａとは異なる視方向の斜視図である。
【図７】図７Ａはシートの着脱方法を示す分解斜視図であり、図７Ｂはリングの取り付け方法を示す斜視図である。
【図８】リングのロックを示す斜視図である。
【図９】図９Ａは第１模式形態を示す断面図であり、図９Ｂは第１変形例を示す断面図であり、図９Ｃは第２変形例を示す断面図である。
【図１０】図１０Ａはコードが繰出されるときの弾性体の変形を示す斜視図であり、図１０Ｂは図１０Ａの上キャビネットを部分透視した斜視図である。
【図１１】図１１Ａは第３変形例を示す断面図であり、図１１Ｂは第４変形例を示す断面図であり、図１１Ｃは第５変形例を示す断面図である。
【図１２】図１２Ａは第６変形例を示す断面図であり、図１２Ｂは第７変形例を示す断面図である。図である。
【図１３】従来の技術を示す斜視図である。
【考案を実施するための形態】
【００３１】
以下、実施形態及び図面を参照にして本考案を実施するための形態を説明するが、以下に示す実施形態は、本考案をここに記載したものに限定することを意図するものではなく、本考案は実用新案登録請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００３２】
[実施形態]
本実施形態のコードリール１０の要部の構成を、図１〜図８を用いて説明する。本実施形態のコードリール１０は、図１Ａ及び図１Ｂに示すような外観であり、コードが周回して巻込まれあるいは繰出されるものである。図１Ｃに示すように、本実施形態のコードリール１０は、たとえば携帯電話機に充電として使用されるＡＣアダプタ式充電器５０用のものであり、そのコード５１の断面は直径約２．３ｍｍの円形である。コード５１の一端にはＡＣ−ＤＣ変換を行うＡＣ−ＤＣ変換部５２が設けられ、ＡＣ−ＤＣ変換部５２には商用電源に接続されるプラグ５３が取り付けられている。コード５１の他端には接続端子５４が設けられ、接続端子５４は携帯電話機（図示せず）や携帯電話機の充電台（図示せず）に接続される。なお、本考案に用いられるコードはＡＣアダプタ式充電器５０のコード５１に限定するものではなく、他の電気・電子機器のコードでもよい。
【００３３】
図２〜図６に示すように、コードリール１０は下キャビネット１１、弾性体１２、固定具１３、上キャビネット１４、シート１５、ウインドウ１６、リング１７、締結用のねじ１８からなる。
【００３４】
下キャビネット１１の材質は、ＡＢＳ樹脂であり、射出成形で形成されている。下キャビネット１１は、円盤形の底板１１ａの外縁に上キャビネット１４の方向に立設された側壁１１ｂを有するシャーレのような（浅底の円筒形容器のような）形状を成している。底板１１ａの中央にはボス１１ｃが上キャビネット１４側に向かって立設され、ボス１１ｃの中央にはねじ１８が貫通するねじ孔１１ｄが形成されている。このボス１１ｃによってねじ１８の頭部１８ａが下キャビネット１１の底面から突出しないようになっている。ボス１１ｃの上キャビネット１４側となる上面には回転防止用の一対の凹部１１ｅが底板１１ａの中心軸を対称軸として線対称に設けられている。底板１１ａには位置決め用の一対のダボ１１ｆが底板１１ａの中心軸を対称軸として線対称に設けられている。底板１１ａには保持用の４つの爪１１ｇが底板１１ａを中心に４方向に設けられている。側壁１１ｂにはコード５１の径よりも広い切欠き１１ｈが設けられている。
【００３５】
弾性体１２の材質はエラストマー（弾力性のある重合体）であり、射出成形で形成されている。弾性体１２は円盤形の底板１２ａの外縁に上キャビネット１４の方向へ立設された側壁１２ｂを有するシャーレのような形状を成している。底板１２ａには、下キャビネット１１のボス１１ｃが貫通する第１孔１２ｃが設けられ、下キャビネット１１のダボ１１ｆが貫通する２つの第２孔１２ｄが設けられ、下キャビネット１１の爪１１ｇが貫通する４つの第３孔１２ｅが設けられている。図６に示すように、側壁１２ｂには下キャビネット１１の切欠き１１ｈに対応する位置に第１切欠き１２ｆが設けられ、底板１２ａの中心軸に対して第１切欠き１２ｆと対称の位置に第２切欠き１２ｇが設けられている。第１切欠き１２ｆは底板１２ａまで深く切欠かれた巻込み開始用の切欠きであり、第２切欠き１２ｇは第１切欠き１２ｆより浅く切欠かれた巻込み終了用の切欠きである。
【００３６】
固定具１３の材質は、ＡＢＳ樹脂であり、射出成形で形成されている。固定具１３は円盤形の底板１３ａの外縁に上キャビネット１４の方向へ立設された側壁１３ｂを有するシャーレのような形状を成している。底板１３ａには下キャビネット１１のボス１１ｃが嵌入するボス１３ｃが設けられ、ボス１３ｃの上面には、ねじ１８が貫通するねじ孔１３ｄと、下キャビネット１１の凹部１１ｅに対応して２つの第１孔１３ｅが設けられている。さらに底板１３ａには下キャビネット１１のダボ１１ｆが貫通する２つの第２孔１３ｆが設けられ、下キャビネット１１の爪１１ｇが貫通して係合する４つの第３孔１３ｇが設けられ、第３孔１３ｇの近傍には爪１１ｇが係合するときに底１３ａが変形し易いように肉厚を薄くするための４つの第４孔１３ｈが設けられている。側壁１３ｂには弾性体１２の第１切欠き１２ｆに対応する位置に切欠き１３ｉと切欠き１３ｉの両隣に一対の第１凸部１３ｊが設けられ、弾性体１２の第２切欠き１２ｇに対応する位置に第２凸部１３ｋが設けられている。
【００３７】
上キャビネット１４の材質は、ＡＢＳ樹脂であり、射出成形で形成されている。上キャビネット１４は円盤形の底板１４ａの外縁に下キャビネット１１の方向へ立設された側壁１４ｂを有するシャーレのような形状を成している。底板１４ａの外縁には保持用の爪１４ｃを備えた４つの舌片が外方向に延在して設けられている。図３Ａに示すように、底板１４ａの中央にはねじ１８が螺入するボス１４ｄを備えた巻胴１４ｅが下キャビネット１１側に向かって立設されている。ねじ１８はセルフタッピングであり、ボス１４ｄにはねじ１８の呼び径よりも若干小さな径の下穴１４ｆが形成されている。巻胴１４ｅの上面には下キャビネット１１の凹部１１ｅに嵌合する２つの凸部１４ｇが設けられている。上キャビネット１４の側壁１４ｂの端部１４ｈは内面側の周縁が面取り（図５ＣのＭ）されている。また、側壁１４ｂの外周面には、長円の下半分の形状をした第１マーク１４ｉと、第２マーク１４ｊが刻印されている。
【００３８】
シート１５は使用者の好みで収納されるシート（たとえば写真や模様や文字などが印刷された紙）である。ウインドウ１６の材質は透明なアクリル樹脂であり、射出成形で形成され、外縁につば状の薄い突出部１６ａを備えている。リング１７の材質はＡＢＳ樹脂であり、射出成形で形成されている。リング１７は円盤形の底板１７ａの外縁に下キャビネット１１の方向へ立設された側壁１７ｂを有するシャーレのような形状を成している。底板１７ａの中央には大きな開口部１７ｃが設けられている。側壁１７ｂには上キャビネット１４の爪１４ｃに対応して４つの凸部１７ｄが内面に向かって突出して設けられ、側壁１７ｂの外周面には長円の上半分の形状をしたマーク１７ｅが刻印されている。
【００３９】
次に、下キャビネット１１から上キャビネット１４までの組立てを図５および図６を用いて説明する。なお、図５Ｃは下キャビネット１１からリング１７までの組立てを示す断面図であり、図６は下キャビネット１１から固定具１３までの組立てを示す斜視図である。下キャビネット１１のダボ１１ｆに弾性体１２の第２孔１２ｄが嵌入するように、弾性体１２が下キャビネット１１に挿入される。そして、下キャビネット１１のダボ１１ｆに固定具１３の第２孔１３ｆが嵌入するように、固定具１３が下キャビネット１１に押圧で挿入されると、下キャビネット１１の爪１１ｇが固定具１３の第３孔に係合される。これにより、弾性体１２が下キャビネット１１と固定具１３の間に挟持される。そして、下キャビネット１１のボス１１ｃの凹部１１ｅに上キャビネット１４の凸部１４ｇが嵌合されて、ねじ１８が下キャビネット１１と弾性体１２と固定具１３を順次貫通して上キャビネット１４のボス１４ｄに螺入される。
【００４０】
次にシート１５からリング１７までの組立てを、図７および図８を用いて説明する。この組み立ては使用者が好みのシートを取り付ける作業である。図７Ａに示すように、上キャビネット１４の底板１４ａの外面にシート１５とウインドウ１６がこの順で載置される。そして、図７Ｂに示すように、リング１７の長円の上半分の形状をしたマーク１７ｅが、上キャビネット１４の長円の下半分の形状をした第１マーク１４ｉと合うように、上キャビネット１４に挿入され、リング１７のマーク１７ｅが上キャビネット１４の長円の下半分の形状をした第２マーク１４ｊと合うように、リング１７が回転される。これにより、図８に示すようにリング１７の凸部が上キャビネット１４の爪１４ｃと係合する。リング１７を上キャビネット１４から取り外すときは、取り付けるときと逆の作業を行えばよい。
【００４１】
このようにして組み立てられたコードリール１０は、上キャビネット１４の巻胴１４ｅがリールの巻胴として機能し、下キャビネット１１の底板１１ａと側壁１１ｂがリールの一方の突縁体として機能し、上キャビネット１４の底板１４ａと側壁１４ｂがリールの他方の突縁体として機能する。図５Ｃに示すように、弾性体１２は下キャビネット１１と保持具１３に挟持され、下キャビネット１１、弾性体１２、保持具１３のそれぞれの側壁１１ｂ、１２ｂ、１３ｂはそれぞれの先端が弾性体１２、下キャビネット１１、保持具１３の順に高くなるように上キャビネット１４側に立設されている。このために、コード５１が周回して巻胴１４ｅに巻込まれあるいは巻胴１４ｅから繰出される出入口は、上キャビネット１４の側壁１４ｂの端部１４ｈと弾性体１２の側壁１２ｂの端部１２ｈの間となる。両端部１４ｈ、１２ｈの隙間（図５ＣのＳ）はコード５１の直径よりも狭いが、弾性体１２の側壁１２ｂがコード５１に押されて変形するのでコード５１の巻込みや繰出しが可能となる。弾性体１２の側壁１２ｂの高さは上キャビネット１４の側壁１４ｂの高さよりも高いので、出入口は下キャビネット１１よりも上キャビネット１４側に近くなっている。
【００４２】
上述のように構成される本実施形態のコードリール１０において、出入口は上キャビネット１４側に近いので、巻胴１４ｅはチューブのような別体ではなく、また下キャビネット１１と一体成型ではなく、上キャビネット１４と一体成型される。これにより、巻胴１４ｅの金型抜きテーパが上キャビネット１４から下キャビネット１１方向となる。すなわち、図５Ｃに示すように巻胴１４ｅの上キャビネット１４側の直径をＤ１とし、下キャビネット１１側の直径をＤ２とするとＤ１>Ｄ２になる。このように、本実施形態のコードリール１０では、巻胴１４ｅに傾斜を付けるべく、突縁（下キャビネット１１あるいは上キャビネット１４）と一体形成にしている。そして、巻胴１４ｅの傾斜の向きがコード５１の出入口から奥の方へと細くなるように、巻胴１４ｅが下キャビネット１１でなく上キャビネット１４と一体成型されている。このために、本実施形態のコードリール１０は、巻込まれたコード５１が出入口から奥の方へ進み易くなるという作用効果がある。また、シート１５が上キャビネット１４に取り付けられているので、コードリール１０が卓上に載置されたときに、上キャビネット１４が上側となって、コード５１が重力で巻胴１４ｅの直径が小さい方（下キャビネット１１側）に進み易くなる。
【００４３】
図３Ａに示す上キャビネット１４のボス１４ｄの２つの凸部１４ｇは、図２に示す固定具１３のボス１３ｃの２つの第１孔を貫通して、下キャビネット１１のボス１１ｃの２つの凹部１１ｅに係合されている。本実施形態のコードリール１０は、コード５１の出入口に弾性体１２が設けられているので、コード５１が巻込まれたり繰出されたりするときにコード５１と弾性体１２の摩擦によって下キャビネット１１と上キャビネット１４が相対的な回転をしようとする。上キャビネット１４の凸部１４ｇと下キャビネット１１の凹部１１ｅからなる係合部はコードの収納部外の領域に形成されているので、コードの収納領域を狭くすることなく、下キャビネット１１と上キャビネット１４の相対的な回転を阻止することができる。
【００４４】
図５Ｃに示すように、弾性体１２の側壁１２ｂの先端から保持具１３の側壁１３ｂの先端までの距離Ｈ１は、弾性体１２の側壁１２ｂの先端から下キャビネット１１の側壁１１ｂの先端までの距離Ｈ２よりも長い。図９Ａは、このＨ１>Ｈ２の作用効果をわかり易く説明するための第１模式形態の断面図である。第１模式形態のコードリール１０において、本実施形態のコードリール１０と構成が同様の部分については同一の参照符号を付与し、その詳細な説明は省略する。なお、第１模式形態においては、作用効果をわかり易く説明するために上キャビネット１４の側壁１４ｂを削除している。したがって、本実施形態での弾性体１２と上キャビネット１４の隙間Ｓを第１模式形態ではＳ１と変えている。Ｓ１もＳと同じくコードの直径Ｄよりも狭い。
【００４５】
図９Ａにおいて、弾性体１２と上キャビネット１４の隙間Ｓ１はコードの直径Ｄよりも狭いのでコード５１が繰出されるときに弾性体１２が変形する。この変形がコード５１の繰出しの抗力となって、コード５１が勝手に繰出されるのを防止することができる。コード５１が巻込まれるときもコード５１が変形する。コード５１が巻込まれるときの弾性体１２の側壁１２ｂの変形をＡ１とし、コード５１が繰出されるときの側壁１２ｂの変形をＡ２とする。Ａ１、Ａ２いずれの変形も弾性体１２と上キャビネット１４の隙間がコード５１の直径Ｄに広がるまで変形する。このとき、Ｈ１>Ｈ２であるので、Ａ１の力点から支点までの距離（Ｈ１）がＡ２の力点から支点までの距離（Ｈ２）よりも長くになる。したがってＡ１はＡ２よりも軽い力で変形する。このように、本考案は、弾性体１２の側壁１２ｂから保持具１３の側壁１３ｂの先端までの距離Ｈ１を、弾性体１２の側壁１２ｂから下キャビネット１１の側壁１１ｂの先端までの距離Ｈ２よりも長くすることで、巻込みの力を繰出しの力よりも小さくすることができる。このＨ１>Ｈ２による作用効果は本実施形態も同じである。
【００４６】
［第１変形例］
図９Ｂは第１変形例を示す。第１変形例は第１模式形態の変形であり、第１模式形態から保持具１３の側壁１３ｂと下キャビネット１１の側壁１１ｂを削除した例である。第１変形例のコードリール１０Ａにおいて、第１模式形態のコードリール１０と構成が同様の部分については同一の参照符号を付与し、その詳細な説明は省略する。第１変形例において、弾性体１２の側壁１２ｂから保持具１３の側壁１３ｂの先端までの距離Ｈ３は、弾性体１２の側壁１２ｂから下キャビネット１１の側壁１１ｂの先端までの距離Ｈ４とほぼ同じ寸法（Ｈ３≒Ｈ４）である。したがって、コード５１の巻込みの力と繰出しの力はほぼ同じとなり、第１変形例のコードリール１０Ａの勝手にコード５１が繰出される抗力は第１模式形態よりも小さくなる。しかしながら、第１変形例のコードリール１０Ａも、弾性体１２と上キャビネット１４の隙間Ｓ１はコードの直径Ｄよりも狭いのでコード５１が繰出されるときに弾性体１２が変形する。この変形がコード５１の繰出しの抗力となって、コード５１が勝手に繰出されるのを防止することができる。また、コード５１が巻込まれるときに弾力性がある弾性体１２と当接してコード５１のごみや埃が除去される。
【００４７】
［第２変形例］
図９Ｃは第２変形例を示す。第２変形例は第１変形例の変形であり、第１変形例の弾性体１２の側壁１２ｂの高さを低くして、弾性体１２と上キャビネット１４の隙間Ｓ２をコード５１の直径よりも広くした例である。第２変形例のコードリール１０Ｂにおいて、第１変形例のコードリール１０Ａと構成が同様の部分については同一の参照符号を付与し、その詳細な説明は省略する。第２変形例のコードリール１０Ｂが下キャビネット１１を下にしてテーブルに載置されている状態では、コード５１が巻込まれるときは、コードよりも広く開口した隙間Ｓ２から弾性体１２が変形することなく軽い力で巻込まれる。しかしコード５１が繰出されるときは、重力により弾性体１２がコード５１と当接して変形する。このようにして、第２変形例のコードリール１０Ｂが出入口の幅がコード５１の直径よりも大きくてもコード５１が勝手に繰出されることを阻止することができる。また、コード５１を繰出すときよりも小さな力でコードを巻込むことができる。
【００４８】
図５Ｃに示すように、本実施形態のコードリール１０は図５ＣのＹ軸方向に弾性体１２の側壁１２ｂと上キャビネット１４の側壁１４ｂがわずかに重なっている。そして、コード５１が繰出されるときに弾性体１２の側壁１２ｂと上キャビネット１４の側壁１４ｂが当接しないように、キャビネット１４の側壁１４ｂの端部１４ｈの弾性体１２側が面取り（図５ＣのＭ）されている。これにより、コードの出入口となる弾性体１２と上キャビネット１４の隙間は図５Ｃの斜め方向になっている。その斜めの隙間はコードの直径Ｄより小さいＳであり、Ｘ軸方向ではＳＸ、Ｙ軸ではＳＹとなっている。また、弾性体１２の側壁１２ｂは上キャビネット１４の側壁１４ｂの巻胴１４ｅ側（内側）に形成されている。
【００４９】
このために、コード５１が繰出されるときは、図１０Ａ、図１０Ｂに示すように、弾性体１２が上キャビネット１４の側壁１４ｂを超えて外側に突出して変形するので、大きな抗力となる。このように、コードが勝手に繰出される阻止力を大きくすることができる。コード５１が巻込まれるときの弾性体１２の変形は上キャビネット１４の側壁１４ｂを超えなくてもよいから、コード５１が巻込まれるときの力はコード５１が繰出されるときの力よりも小さくてよい。また、コード５１の出入口の隙間Ｓは図５ＣのＸ軸方向にも隙間を有しているので、同じ隙間を得るのにＹ軸方向の隙間を小さくすることができる。このために、本実施形態のコードリール１０は側面側（図５ＣのＸ軸方向）から見たときに収納されているコード５１が見えにくく、ごみや埃が入りにくい。
【００５０】
［第３〜５変形例］
図１１Ａ〜Ｃはそれぞれ第３〜５変形例を示す。第３〜５変形例は本実施形態の変形であり、出入口の隙間Ｓの取り方が異なる。なお、第３〜５変形例においては、作用効果をわかり易く説明するために下キャビネット１２の側壁１２ｂを削除している。第３〜５変形例のコードリール１０Ｃ，Ｄ，Ｅにおいて、本実施形態のコードリール１０と構成が同様の部分については同一の参照符号を付与し、その詳細な説明は省略する。図１１Ａに示すように、第３変形例のコードリール１０Ｃにおいては、上キャビネット１４ではなく、弾性体１２の側壁１２ｂの端部１２ｈの上キャビネット１４側を面取りすることにより斜めの出入口隙間Ｓを設けている。このような方法でも本実施形態と同じ作用効果を備えている。図１１Ｂに示すように、第４変形例のコードリール１０Ｄにおいては、弾性体１２の側壁１２ｂの端部１２ｈと上キャビネット１４の側壁１４ｂの端部１４ｈで形成される出入口の隙間ＳはＸ軸方向のみである。このときも本実施形態と同じ作用効果を備えている。
【００５１】
図１１Ｃに示すように、第５変形例のコードリール１０Ｅにおいては、弾性体１２の側壁１２ｂの端部１２ｈと上キャビネット１４の側壁１４ｂの端部１４ｈで形成される出入口の隙間ＳはＹ軸方向のみである。このときは、本実施形態のような、側面側から見たときに収納されているコード５１が見えにくく、ごみや埃が入りにくいという作用効果はない。しかしながら、弾性体１２の側壁１２ｂは上キャビネット１４の側壁１４ｂの巻胴１４ｅ側に形成されている。このために、コード５１が繰出されるときは、弾性体１２が上キャビネット１４の側壁１４ｂを超えて外側に突出して変形するので、本実施形態と同様に、コードが勝手に繰出される阻止を大きくすることができる。
【００５２】
図６に示すように、本実施形態の弾性体１２は底板１２ａまで深く切欠かれた巻込み開始用の第１切欠き１２ｆと、第１切欠き１２ｆより浅く切欠かれた巻込み終了用の第２切欠き１２ｇを備えている。図５Ｂに示すように、第１切欠き１２ｆの切欠き深さは下キャビネット１１の側壁１１ｂの端部に達しており、第１切欠き１２ｆ部分の出入口の隙間はコード５１の直径Ｄよりも広くなっている。本実施形態のコードリール１０は弾性体１２が変形するのでコード５１が周回する任意の位置でコード５１を保持することができる。したがって、コード５１を保持するために、かならずしも第２切欠き１２ｇは必要でない。
【００５３】
しかしながら、コード５１が第２切欠き１２ｇから出るには、側壁１２ｂの周縁を周回するよりも弾性体１２が大きく変形しなければならないので、コード５１の保持力は任意の周回位置よりも第２切欠きの方が大きいという特徴がある。この保持力が強い切欠きを更に増やして使用者の保持位置の選択肢を増やすことができるし、切欠きは第１切欠き１２ｆのみにして、第１切欠き１２ｆが巻込み開始用と巻込み終了用を兼ねることもできる。保持具１３の側壁１３ｂには弾性体１２の第１切欠き１２ｆに対応する位置に一対の第１凸部１３ｊが設けられ、弾性体１２の第２切欠き１２ｇに対応する位置に第２凸部１３ｋが設けられている。これらの凸部によって弾性体１２の切欠き１２ｆ、１２ｇの近傍が変形しないように支えられ、切欠きによる弾性体１２の強度不足を補っている。また、切欠き１２ｆ、１２ｇの近傍の見苦しい変形範囲を狭くしている。
【００５４】
［第６変形例］
図１２Ａは第６変形例を示す。第６変形例は第５変形例のさらなる変形であり、第５変形例の弾性体１２の側壁１２ｂの高さを低くして、Ｙ軸方向に弾性体１２の側壁１２ｂと上キャビネット１４の側壁１４ｂが寸法Ｕだけ重なるようにしたものである。第６変形例のコードリール１０Ｆにおいて、第５変形例のコードリール１０Ｅと構成が同様の部分については同一の参照符号を付与し、その詳細な説明は省略する。第６変形例の弾性体１２の側壁１２ｂは上キャビネット１４の側壁１４ｂの巻胴１４ｅ側に配設されている。したがって、コード５１が巻込まれるときは、弾性体１２の側壁１２ｂが上キャビネット１４の側壁１４ｂから離間する方向に変形するので巻込まれる力は小さい。コード５１が繰出されるときは、弾性体１２の側壁１２ｂが上キャビネット１４の側壁１４ｂを超えるのでコード５１が繰出される力は大きくなる。このようにして、第６変形例のコードリール１０Ｆはコード５１が勝手に繰出されることを阻止することができる。また、コード５１を繰出すときよりも小さな力でコードを巻込むことができる。
【００５５】
［第７変形例］
図１２Ｂは第７変形例を示す。第７変形例は第１変形例のさらなる変形であり、弾性体１２が上キャビネット１４側にも形成されている点が異なる。第７変形例のコードリール１０Ｇにおいて、第１変形例のコードリール１０Ａと構成が同様の部分については同一の参照符号を付与し、その詳細な説明は省略する。第７変形例の弾性体１２の両側壁１２ｂの隙間Ｓはコード５１の直径Ｄよりも小さくなっている。このように両突縁部１１，１４共に弾性体１２が形成されているので、コード５１の出入口の両端が開く。したがって、巻胴１４ｅのいずれの端でもコード５１を寄せて巻込み易く、また、両方にコード５１が傾いてもよいので、第７変形例のコードリール１０Ｇは巻込み易く、繰出し易い。
【００５６】
図１〜図８を用いて説明した本実施形態のコードリール１０は、任意の位置でコードを保持することができ、かつ、コード５１が繰出される力よりも小さな力でコード５１が巻込まれるものである。このために、上述のように、第１手段として、コード５１が繰出されるときの撓みの力点から支点までの距離が巻込まれるときよりも短くなるように、下キャビネット１１に側壁１１ｂが設けられる。また、第２手段として、コード５１が繰出されるときに弾性体１２の側壁１２ｂが上キャビネット１４の側壁１４ｂを越えるように、弾性体１２の側壁１２ｂが上キャビネット１４の側壁１４ｂの巻胴１４ｅ側に設けられると共に出入口の幅がコード５１の直径Ｄよりも小さくされる。
【００５７】
このような手段がなされて、斜めの出入口隙間Ｓを０．３ｍｍにした本実施形態の試作品によると、コード５１が巻込まれる力Ｆ１は約０．８Ｎ（約８０ｇｆ）、繰出される力Ｆ２は１．６Ｎ（約１６０ｇｆ）であり、Ｆ１<Ｆ２となって、コード５１が繰出される力よりも小さな力でコード５１が巻込まれる。そして、コードリール１０の質量Ｗ１は直径が約４６ｍｍの円形の場合は約１５ｇ、ＡＣアダプタ式充電器５０の質量Ｗ２は約５０ｇであり、コードリール１０とＡＣアダプタ式充電器５０が受ける通常の重量（もしくは力）は約０．６５ニュートン（約６５ｇｆ）であるので、これはＦ２よりも小さい。このように、Ｆ２はＷ１とＷ２が受ける通常の重量の合計よりも大きな力になっているので、コード５１の一端を持ってコードリール１０が吊り下げられてもコード５１が勝手に繰出されることはない。なお、さらに第３手段として上述の第６変形例を適用すれば、巻込まれる力Ｆ１を増大させることなく、繰出される力Ｆ２をさらに増大することができる。また、本実施形態のコードリール１０において、使用者が繰出し力Ｆ２を変更したいときや、他の寸法のコードに変更したいときは、ねじ１８と爪１１ｇの係合を外して寸法や材質が異なる弾性体１２と交換してもよく、爪１４ｃの係合を外して寸法が異なる上キャビネット１４と交換してもよい。
【００５８】
なお、本実施形態のコードリール１０は使用者の好みのシート（たとえば、写真や模様や文字が印刷された紙）を収納することができ、そのシートは外観から視認される。したがって、図１３のようにコード５１をビニタイ（登録商標）５５で結束された従来技術と比較すると本実施形態のコードリール１０は意匠性が優れている。また、特許文献１や市販の全ゴム製のように使用者が外観を変更できないコードリールと比較すると、本実施形態のコードリール１０は意匠の自由性があり、また、文字情報を入れることもできる。
【００５９】
なお、上述のコード５１は断面が直径約２．３ｍｍの円形のものであったが、本考案はコード５１の断面が円形ではないものにも適用することができる。例えば、コードの断面が楕円のときは短径をＤとして上述の本実施形態を適用すればよい。
【符号の説明】
【００６０】
１０：コードリール
１１：下キャビネット
１２：弾性体
１３：固定具
１４：上キャビネット
１５：シート
１６：ウインドウ
１７：リング
１８：ねじ
１９：出入口
５０：ＡＣアダプタ式充電器
５１：コード
５２：ＡＣ−ＤＣ変換部
５３：プラグ
５４：接続端子
５５：ビニタイ（登録商標）
Ｍ：面取り
【図１】
0003172556.tif 000003
【図２】
0003172556.tif 000004
【図３】
0003172556.tif 000005
【図４】
0003172556.tif 000006
【図５】
0003172556.tif 000007
【図６】
0003172556.tif 000008
【図７】
0003172556.tif 000009
【図８】
0003172556.tif 000010
【図９】
0003172556.tif 000011
【図１０】
0003172556.tif 000012
【図１１】
0003172556.tif 000013
【図１２】
0003172556.tif 000014
【図１３】
0003172556.tif 000015